(57)【特許請求の範囲】
【請求項１】
アンテナデバイスであって、
１つの第１、第２、および第３の導電体（１０，２０，３０）と、
前記第１、第２、および第３の導電体（１０，２０，３０）を巻回するための、一体に形成されている１つの磁気コア（１００）と、
前記磁気コア（１００）を固定するための、少なくとも１つの担体部材（２００ａ，２００ｂ，２００ｃ，２００ｄ）の、その１つの隅部の１つの切欠き部（２１０）と、
前記磁気コア（１００）は、１つの直方体形状の中央セグメント（１１０）を備え、当該直方体形状の上側および下側に長方形形状の側面（１１１ａ，１１１ｂ）を有し、当該側面はそれぞれ１つの第１および第２の長辺（Ｌ１１１ａ，Ｌ１１１ｂ）と１つの第１および第２の短辺（Ｂ１１１ａ，Ｂ１１１ｂ）とを備え、
前記第１の導電体（１０）は、前記磁気コア（１００）の前記中央セグメント（１１０）の周りを直接巻回しており、当該第１の導電体（１０）が前記磁気コア（１００）の前記中央セグメント（１１０）の前記上側および下側の側面（１１１ａ，１１１ｂ）の第１および第２の長辺（Ｌ１１１ａ，Ｌ１１１ｂ）に対し平行に延伸するように巻回されており、
前記磁気コア（１００）は、１つの第１および第２の側部セグメント（１２０ａ，１２０ｂ）を備え、当該第１の側部セグメント（１２０ａ）は、前記磁気コアの前記中央セグメント（１１０）の上側および下側の側面（１１１ａ，１１１ｂ）の前記第１の長辺（Ｌ１１１ａ）の中央の部分に配設されており、当該第２の側部セグメント（１２０ｂ）は、前記磁気コア（１００）の前記中央セグメント（１１０）の前記上側および下側の側面（１１１ａ，１１１ｂ）前記の第２の長辺（Ｌ１１１ｂ）の中央の部分に配設されており、
前記第２の導電体（２０）は、前記磁気コアの前記第１および第２の側部セグメント（１２０ａ，１２０ｂ）の周りを直接巻回しており、当該第２の導電体（２０）が前記第１の導電体（１０）の上に配設され、かつこの第１の導電体（１０）に対し直交して延伸するように巻回されており、
前記磁気コアは、複数のガイドセグメント（１３０ａ，１３０ｂ，１３０ｃ，１３０ｄ）を備え、当該ガイドセグメントはそれぞれ前記第３の導電体（３０）を前記磁気コア（１００）の周りにガイドするための１つのチャネル（１３１）を備え、当該ガイドセグメント（１３０ａ，１３０ｂ，１３０ｃ，１３０ｄ）は、前記第３の導電体（３０）が前記第１および第２の導電体（１０，２０）に対し直交して延伸するように形成され、
前記ガイドセグメント（１３０ａ，．．．，１３０ｄ）の各々のチャネル（１３１）は、１つの底面（１３２）と、これに対し横側に配設されている側壁（１３３，１３４）を備え、
前記ガイドセグメント（１３０ａ，．．．，１３０ｄ）の各々の前記チャネル（１３１）のそれぞれの１つの第１の側壁（１３３）は、前記少なくとも１つの担体部材（２００ａ，．．．，２００ｄ）の前記切欠き部（２１０）に挿入するための１つの突起部（１３５）を備え、
前記磁気コアのそれぞれの前記突起部（１３５）、および前記少なくとも１つの担体部材（２００ａ，．．．，２００ｄ）の前記切欠き部（２１０）は、前記突起部（１３５）が前記少なくとも１つの担体部材（２００ａ，．．．，２００ｄ）の前記切欠き部（２１０）に挿入された後に、当該磁気コア（１００）が、当該少なくとも１つの担体部材で向きが調整されるように、形成されている、
ことを特徴とするアンテナデバイス。
【請求項２】
請求項１に記載のアンテナデバイスにおいて、
前記磁気コアの前記中央セグメント（１１０）は、１つの第１および第２の中央の側面（１１２ａ，１１２ｂ）を備え、当該第１および第２の中央の側面は、前記磁気コアの前記中央セグメント（１１０）の上側および下側の側面（１１１ａ，１１１ｂ）の前記第１の短辺（Ｂ１１１ａ）と前記第２の短辺（Ｂ１１１ｂ）との間に配設されており、
前記第１の導電体（１０）は、前記上側および下側の側面（１１１ａ，１１１ｂ），および当該上側の側面と当該下側の側面との間に配設された、前記磁気コアの前記中央セグメント（１１０）の前記第１および第２の中央の側面（１１２ａ，１１２ｂ）の周りに巻回されている、
ことを特徴とするアンテナデバイス。
【請求項３】
請求項１または２に記載のアンテナデバイスにおいて、
前記磁気コアの前記第１および第２の側部セグメント（１２０ａ，１２０ｂ）は、それぞれ１つの上側の側面（１２１）および１つの下側の側面（１２２）、ならびに当該上側の側面と当該下側の側面との間に配設された１つの中央の側面（１２３）を備え、
前記第２の導電体（２０）は、前記磁気コア（１００）の前記第１および第２の側部セグメント（１２０ａ，１２０ｂ）のそれぞれの上側の側面（１２１）、中央の側面（１２３）、ならびに下側の側面（１２２）上に直接配設されている、
ことを特徴とするアンテナデバイス。
【請求項４】
請求項３に記載のアンテナデバイスにおいて、
前記磁気コア（１００）の前記中央セグメント（１１０）の前記上側の側面（１１１ａ）は、前記磁気コア（１００）の前記第１および第２の側部セグメント（１２０ａ，１２０ｂ）のそれぞれの前記上側の側面（１２１）に対し平行に配設されており、
前記磁気コア（１００）の前記中央セグメント（１１０）の前記下側の側面（１１１ｂ）は、前記磁気コアの前記第１および第２の側部セグメント（１２０ａ，１２０ｂ）のそれぞれの前記下側の側面（１２２）に対し平行に配設されており、
前記中央セグメント（１１０）の、前記上側の側面（１１１ａ）と前記下側の側面（１１１ｂ）との間の前記磁気コアの高さは、前記磁気コアの前記第１および第２の側部セグメント（１２０ａ，１２０ｂ）の、それぞれの前記上側の側面（１２１）と前記下側の側面（１２２）との間の当該磁気コアの高さよりも小さくなっている、
ことを特徴とするアンテナデバイス。
【請求項５】
請求項２乃至４のいずれか１項に記載のアンテナデバイスにおいて、
前記複数のガイドセグメント（１３０ａ，．．．，１３０ｄ）は、前記磁気コア（１００）の隅部で、前記磁気コアの前記第１および第２の側部セグメント（１２０ａ，１２０ｂ）の１つと、前記磁気コアの前記中央セグメント（１１０）の前記第１および第２の中央の側面（１１２ａ，１１２ｂ）と、の間に配設されており、
前記ガイドセグメント（１３０ａ，．．．，１３０ｄ）の各々は、１つのチャネル（１３１）を備え、当該チャネルは、前記第３の導電体（３０）が、当該チャネル（１３１）を通って前記磁気コア（１００）の隅部を回ってガイドされるように形成されている、
ことを特徴とするアンテナデバイス。
【請求項６】
請求項５に記載のアンテナデバイスにおいて、
前記第３の導電体（３０）は、前記ガイドセグメント（１３０ａ，．．．，１３０ｄ）のそれぞれのチャネル（１３１）の前記底面（１３２）上に直接配設されており、
前記ガイドセグメント（１３０ａ，．．．，１３０ｄ）の前記チャネル（１３１）のそれぞれの底面（１３２）は、前記第３の導電体（３０）が、前記磁気コアの前記第１および第２の側部セグメント（１２０ａ，１２０ｂ）のそれぞれの前記中央の側面（１２３）に沿ってガイドされ、当該磁気コア（１００）の隅部を回り、そして当該磁気コアの前記中央セグメント（１１０）の前記第１および第２の側部セグメント（１２０ａ，１２０ｂ）に沿ってガイドされるように、形成されている、
ことを特徴とするアンテナデバイス。
【請求項７】
請求項６に記載のアンテナデバイスにおいて、
前記ガイドセグメント（１３０ａ，．．．，１３０ｄ）の前記チャネル１３１のそれぞれの前記底面（１３２）は、前記磁気コアの前記第１および第２の側部セグメント（１２０ａ，１２０ｂ）のそれぞれの中央の側面（１２３）の上の１つのレベル面に配設されており、当該磁気コアの前記中央セグメント（１１０）の前記第１および第２の中央の側面（１１２ａ，１１２ｂ）の上に配設されている、
ことを特徴とするアンテナデバイス。
【請求項８】
請求項１乃至７のいずれか１項に記載のアンテナデバイスにおいて、
前記第１、第２、および第３の導電体（１０，２０，３０）を前記少なくとも１つの担体部材（２００ａ，．．．，２００ｄ）と接続するための、複数の接続端子（３００）を備え、
前記複数の接続端子（３００）の各々は、前記第１、第２、および第３の導電体（１０，２０，３０）の１つをクランプするための１つのクランプ機構（３１０）、および前記第１、第２、および第３の導電体（１０，２０，３０）の１つを電気的に接続するための１つの接続機構（３２０）を備える、
ことを特徴とするアンテナデバイス。
【請求項９】
前記磁気コア（１００）、および前記第１、第２、および第３の導電体（１０，２０，３０）は、モールド材料４００によって包囲されていることを特徴とする、請求項１乃至８のいずれか１項に記載のアンテナデバイス。
【請求項１０】
請求項１乃至９のいずれか１項に記載のアンテナデバイスにおいて、
前記ガイドセグメント（１３０ａ，．．．，１３０ｄ）のチャネル（１３１）の前記側壁（１３４）の上側の面は、突起部を全く有しておらず、
前記磁気コアの突起部（１３５）と前記ガイドセグメント（１３０ａ，．．．，１３０ｄ）の各々の側壁（１３４）との間の高さ（Ｈ１）と、前記磁気コア（１００）の前記中央セグメント（１１０）の前記上側の側面（１１１ａ）と前記下側の側面（１１１ｂ）との間の高さ（Ｈ２）との比が、少なくとも３より大きくなっている、
ことを特徴とするアンテナデバイス。
【請求項１１】
前記第１、第２、および第３の導電体（１０，２０，３０）の高耐熱の材料を備えることを特徴とする、請求項１乃至１０のいずれか１項に記載のアンテナデバイス。
【請求項１２】
前記磁気コアの前記中央セグメント（１１０）の前記側面（１１１ａ，１１１ｂ，１１２ａ，１１２ｂ）の間のエッジ（１０１）、および前記磁気コアの前記第１および第２の側部セグメント（１２０ａ，１２０ｂ）のぞれぞれの前記側面（１２１，１２２，１２３）の間のエッジ（１０２）は、丸められていることを特徴とする、請求項１乃至１１のいずれか１項に記載のアンテナデバイス。
【請求項１３】
請求項１乃至１２のいずれか１項に記載のアンテナデバイスにおいて、
前記磁気コア（１００）は、４６００ｋｇ／ｍ3〜６０００ｋｇ／ｍ3の密度を有し、そして２００Ｎ／ｍｍ2〜７００Ｎ／ｍｍ2の破壊強度を有するフェライト材料を備え、
前記磁気コアは、少なくとも１つの軸上で３５ｎＨ〜４２ｎＨのＡL値を有する、
ことを特徴とするアンテナデバイス。
【請求項１４】
前記磁気コア（１００）は、射出成型処理によって製造されていることを特徴とする、請求項１乃至１３のいずれか１項に記載のアンテナデバイス。
【発明の詳細な説明】
【技術分野】
【０００１】
本発明は、アンテナデバイスに関し、このアンテナデバイスは、具体的には、受動的なアクセス許可システムおよび／またはたとえば自動車の原動機の始動のための受動的な許可システムに利用可能である。
【背景技術】
【０００２】
近年、乗り物への受動的なアクセスおよびこの乗り物の受動的な始動を可能とする自動車アプリケーションにおける無線アクセスシステム用の様々な技術が開発されている。このようなシステムは、低周波数のアンテナ装置を利用しており、このアンテナシステムは、乗り物における送信ユニットに設けられており、そしてワイヤレスキーの受信ユニットに設けられている。この受信ユニットに組み込まれたアンテナは、３次元空間の全方向における信号の受信を保証しなければならない。
【０００３】
各々の空間方向に対して、別々の１つのアンテナをこの受信ユニットに設けることが可能である。しかしながらこの方法はコストがかかり、そして大きなスペース使用をもたらす。小さな形状および低いコストのアンテナに対する要求の他に、近年自動車アプリケーション用のアンテナの物理的特性に対する仕様はますます高度なものとなっている。これらのアンテナは、高い感度を示さなければならず、すなわち印加される電磁場に対し大きな誘導電圧を示さなければならず、そして大きなＱ値を示さなければならない。さらにこれらのアンテナは、機械的に丈夫でなければならず、そして同時に低いコストで高い信頼性を保証しなければならない。このため、具体的には、アンテナ構造内部での電気的接続部が、機械的応力下においても損傷を受けることがなく、あるいはこのアンテナの導電体間の短絡が避けられることが保証されていなければならない。
【発明の概要】
【発明が解決しようとする課題】
【０００４】
本発明の目的は、１つのアンテナデバイスを提供することであり、このアンテナデバイスは３次元空間方向における信号受信を可能とし、良好な電気的および機械的特性を備え、そして信頼性良く駆動することができる。
【課題を解決するための手段】
【０００５】
このようなアンテナデバイスの１つの実施形態が本願の請求項１に開示されている。このアンテナデバイスは、１つの第１、第２、および第３の導電体と、これらの導電体を用いて巻回するための１つの磁気コアとを備える。この磁気コアは、一体に形成されている。この磁気コアは、１つの中央の直方体形状のセグメントを備え、この直方体形状の上側および下側に長方形形状の側面を有し、これらの側面はそれぞれ１つの第１および第２の長辺と１つの第１および第２の短辺とを有する。上記の第１の導電体は、上記の磁気コアの中央セグメントの周りを直接巻回しており、この第１の導電体が上記の磁気コアの中央セグメントの上側および下側の側面の第１および第２の長辺に対し平行に延伸するように巻回されている。
【０００６】
さらに上記の磁気コアは、１つの第１および第２の側部セグメントを備える。この第１の側部セグメントは、上記の磁気コアの中央セグメントの上側および下側の側面の第１の長辺の中央の部分に配設されている。この第２の側部セグメントは、上記の磁気コアの中央セグメントの上側および下側の側面の第２の長辺の中央の部分に配設されている。上記の第２の導電体は、上記の磁気コアの上記の第１および第２の側部セグメントの周りを直接巻回しており、これによりこの第２の導電体が上記の第１の導電体の上に配設され、かつこの第１の導電体に対し直交して延伸するように巻回されている。
【０００７】
さらに加えて上記の磁気コアは、複数のガイドセグメントを備え、これらはそれぞれ上記の第３の導電体をこの磁気コアの周りにガイドするための１つのチャネルを備える。これらのガイドセグメントは、この第３の導電体が上記の第１および第２の導電体に対し直交して延伸するように形成されている。
【０００８】
上記の磁気コアは、小さな部品高を特徴としている。この磁気コアは、その断面が、エッジが丸められた、あるいは面取りされた長方形の形状を備える。この長方形の各々の角には、上記のガイドセグメントの１つが配設されている。これらのガイドセグメントは、これらのガイドセグメントの各々が上記の第３の導電体を、上記の磁気コアの長方形の形状の外周にガイドするための１つのチャネルを備えるように形成されている。上記のコアはその形状のおかげで、上記の第１の導電体をｙ方向に、上記の第２の導電体をｘ方向に、そして上記の第３の導電体をｚ方向に巻回するための、それぞれ１つのガイドセグメント／チャネルを備える。これらのｘ−、ｙ−、およびｚ−方向は、互いに直行している。以上により本アンテナデバイスが、３つの互いに直交した向きの空間方向からの信号を受信および放射することができることが保証される。
【０００９】
上記の磁気コアの長さと、この磁気コアの長さ方向に対する垂直な方向のこの磁気コアの断面積、具体的には上記の磁気コアの中央セグメントの断面積との比は、大きな値を有する。以上により本アンテナデバイスは、図５Ｂに示すように、大きな実効透磁率を有し、そして高い感度を有する。この感度は、６．７５ｍＨのタイプに対して、たとえば６５〜８５ｍＶ／μＴとなっている。
【００１０】
上記の磁気コアのフェライト材料は、このコアの全ての部分において高い密度、たとえば４６００ｋｇ／ｍ3〜６０００ｋｇ／ｍ3を有しており、そして２００Ｎ／ｍｍ2〜７００Ｎ／ｍｍ2の破砕強度を有している。以上によりこのコアは良好な機械的特性、特に大きなロバスト性を有している。上記の磁気コアは、一般的な層のプレス処理の代わりに、射出成型によって製造される。以上により、ｙ方向において上記の第１の導電体を用いて巻回し、ｘ方向において上記の第２の導電体を用いて巻回し、そしてｚ方向において上記の第３の導電体を用いて巻回するための、異なる部分を有する上記のコアの特徴的な形状を実現することができる。このコアの製造で射出成型プロセスを利用することによって、機械的な後加工は最早不要であり、そしてこのコアは、プレス処理によって製造されるコアに対してより大きな機械的剛性を備える。
【００１１】
導電体（複数）としては、高い温度安定性の材料から成るワイヤ（複数）が使用される。これらの導電体の絶縁部は、たとえば他にしばしば使用されるポリウレタンの代わりに、ポリアミドイミドを含んでおり、あるいは完全にポリアミドイミドから成っている。以上より、これらのワイヤは、高い温度安定性の保護層あるいは絶縁層を備える。
【００１２】
本発明が、以下の本発明の実施形態を示す図を参照して詳細に説明される。
【図面の簡単な説明】
【００１３】
【図１Ａ】１つのアンテナデバイスの１つの磁気コアの１つの実施形態を示す。
【図１Ｂ】１つのアンテナデバイスの１つの磁気コアのもう１つの実施形態を示す。
【図１Ｃ】１つのアンテナデバイスの１つの実施形態を示す。
【図２Ａ】１つのアンテナデバイスの１つの磁気コアの上面での平面図を示す。
【図２Ｂ】１つのアンテナデバイスの１つの磁気コアの下面での平面図を示す。
【図２Ｃ】１つのアンテナデバイスの１つの磁気コアのもう１つの実施形態の下面での平面図を示す。
【図３】１つのアンテナデバイスの１つの磁気コアの１つの実施形態での横断面図を示す。
【図４】１つのアンテナデバイスの１つの磁気コアの１つの実施形態の断面を示す。
【図５Ａ】大きなフォームファクタを有する、１つのアンテナデバイスの１つの磁気コアの１つの実施形態を示す。
【図５Ｂ】コアの幾何形状に対する磁気コアの透磁率のグラフを示す。
【図６】１つの担体部材を有する１つのアンテナデバイスの、導電体で巻回された１つの磁気コアの１つの実施形態を示す。
【図７Ａ】上記の担体部材を有するアンテナデバイスの１つの第１の実施形態での、１つの導電体の接続部の拡大図を示す。
【図７Ｂ】上記の担体部材を有するアンテナデバイスの１つの第２の実施形態での、１つの導電体の接続部の拡大図を示す。
【図８Ａ】担体部材への固定部を有する、リモールド（umpressten）された１つの磁気コアの１つの実施形態を示す。
【図８Ｂ】担体部材からパンチ加工された接続部材を有する、リモールドされた１つの磁気コアの１つの実施形態を示す。
【図８Ｃ】折り曲げられた接続部材を有するリモールドされた１つの磁気コアの１つの実施形態を示す。
【図９Ａ】１つのアンテナデバイスの１つの実施形態の上面での平面図を示す。
【図９Ｂ】１つのアンテナデバイスの１つの実施形態の下面での平面図を示す。
【００１４】
図１Ａおよび１Ｂは、１つのアンテナデバイスの１つの磁気コア１００の第１および第２の実施形態の下側からの概観を示す。図１Ｃには、図１Ａおよび１Ｂに示す実施形態例による磁気コアを上側から見たものが示されている。この磁気コアは、１つの導電体１０、１つの導電体２０、および１つの導電体３０を用いて巻回されている。この磁気コア１００は、これらの導電体１０，２０，および３０を用いて巻回するために、１つの１個の、すなわち１つの一体の部品として形成されている。これらの導電体は、互いに直交してこの磁気コア１００の周りに巻回されている。
【００１５】
磁気コア１００は、１つの中央の、直方体形状の部分１１０を備え、この直方体形状の部分の上側の長方形形状側面１１１ａおよび下側の１つの長方形形状の側面１１１ｂを有し、これらの側面はそれぞれ１つの長辺Ｌ１１１ａおよびこれの反対側にある１つの長辺Ｌ１１１ｂを有し、また１つの短辺をＢ１１１ａおよびこれの反対側にある１つの短辺Ｂ１１１ｂを有する。図１Ｃに示すように、導電体１０は、この導電体１０がこの磁気コア１００の中央セグメント１１０の上側および下側の側面１１１ａ，１１１ｂの長辺Ｌ１１１ａ，Ｌ１１１ｂに対して平行に延伸するように、この磁気コアの中央セグメント１１０の周りに直接巻回されている。
【００１６】
さらに磁気コア１００は、１つの側部セグメント１２０ａおよび１つの側部セグメント１２０ｂを備える。この側部セグメント１２０ａは、磁気コアの中央セグメント１１０の上側および下側の側面１１１ａ，１１１ｂの長辺Ｌ１１１ａの中央部分に配設されている。この側部セグメント１２０ｂは、磁気コア１００の中央セグメント１１０の上側および下側の側面１１１ａ，１１１ｂの第２の長辺Ｌ１１１ｂの中央部分に配設されている。導電体２０は、磁気コア１００の側部セグメント１２０ａおよび側部セグメント１２０ｂに直接巻回されており、図１Ｃに示されているように、この導電体２０が導電体１０の上に配設され、そしてこの導電体１０に対して直交して延伸するようになっている。
【００１７】
さらに磁気コア１００はガイドセグメント（複数）１３０ａ，１３０ｂ，１３０ｃ，および１３０ｄを備え、これらはそれぞれ、導電体３０をこの磁気コア１００の周りにガイドするための１つのチャネル１３１を有している。これらのガイドセグメント１３０ａ，．．．，１３０ｄは、図１Ｃに示すように、導電体３０が上記の導電体１０および２０に対して直交して延伸するように形成されている。この導電体３０は、磁気コア１００の外周を回って配設されている。
【００１８】
磁気コア１００の中央セグメント１１０は、上記の上側および下側の側面１１１ａ，１１１ｂの他に１つの中央の側面１１２ａおよび１つの中央の側面１１２ｂを備える。この磁気コアの中央部１１０の、これら２つの中央の側面１１２ａ，１１２ｂは、この磁気コアの中央セグメント１１０の上側および下側の側面１１１ａおよび１１１ｂの短辺Ｂ１１１ａとＢ１１１ｂとの間に配設されている。導電体１０は、これらの上側および下側の側面１１１ａ，１１１ｂ，およびこの上側の側面と下側の側面との間に配設された、磁気コア１００の中央セグメント１１０の中央の側面１１２ａ，１１２ｂの周りに巻回されており、この巻回はｙ方向となっている。
【００１９】
磁気コアの２つの側部セグメント１２０ａおよび１２０ｂは、それぞれ１つの上側の側面１２１および１つの下側の側面１２２、ならびにこれらの間に配設された１つの中央の側面１２３を備える。導電体２０は、磁気コア１００の２つの側部セグメント１２０のそれぞれの上側の側面１２１、中央の側面１２３、ならびに下側の側面１２２上に直接配設されており、この巻回はｘ方向となっている。
【００２０】
磁気コア１００の中央セグメント１１０の上側の側面１１１ａは、この磁気コアの２つの側部セグメント１２０ａおよび１２０ｂのそれぞれの上側の側面１２１に対し平行に配設されている。同様に、この磁気コア１００の中央セグメント１１０の下側の側面１１１ｂは、この磁気コアの２つの側部セグメント１２０ａおよび１２０ｂのそれぞれの下側の側面１２２に対し平行に配設されている。この磁気コアの中央セグメント１１０の、上側の側面１１１ａと下側の側面１１１ｂとの間のこの磁気コアの高さは、この磁気コアの側部セグメント１２０ａ，１２０ｂの、それぞれの上側の側面１２１と下側の側面１２２との間のこの磁気コアの高さよりも小さくなっている。
【００２１】
導電体３０をガイドするためのガイドセグメント１３０ａ，．．．，１３０ｄは、それぞれ、磁気コア１００の隅部で、この磁気コアの側部セグメント１２０ａ，１２０ｂの１つと、この磁気コアの中央セグメント１１０の中央の側面１１２ａ，１１２ｂとの間に配設されている。これらのガイドセグメント１３０ａ，．．．，１３０ｄの各々は、導電体３０をガイドするための１つのチャネル１３１を備える。この磁気コアのこれらのガイドセグメント１３０ａ，．．．，１３０ｄのそれぞれのチャネル１３１は、この導電体３０が、このチャネル１３１を通ってこの磁気コア１００の隅部を回り、そしてこうしてこの磁気コアの外周でガイドされるように形成されている。
【００２２】
１つの可能な実施形態によれば、ガイドセグメント１３０ａ，  ．．．，  １３０ｄの各々のチャネル１３１は、１つの底面１３２とこれに対し横側に配設されている側壁１３３および１３４を備える。導電体３０は、これらのガイドセグメント１３０ａ，．．．，１３０ｄのそれぞれのチャネル１３１の底面１３２上に直接配設されている。ガイドセグメント１３０ａ，．．．，１３０ｄのチャネル１３１のそれぞれの底面１３２は、導電体３０が、この磁気コアの側部セグメント１２０ａ，１２０ｂのそれぞれの中央の側面１２３に沿ってガイドされ、この磁気コア１００の隅部を回り、そしてこの磁気コアの中央セグメント１００の中央の側面１１２ａ，１１２ｂに沿ってガイドされるように、形成されている。
【００２３】
ガイドセグメント１３０ａ，．．．，  １３０ｄのチャネル１３１のそれぞれの底面１３２は、上記の磁気コアの側部セグメント１２０ａ，１２０ｂのそれぞれの中央の側面１２３の上の１つのレベル面に配設されている。さらに、これらのガイドセグメント１３０ａ，．．．，１３０ｄのチャネル１３１のそれぞれの底面１３２は、この磁気コアの中央セグメント１１０の中央の側面１１２ａおよび１１２ｂの上の１つのレベル面に配設されている。
【００２４】
本発明によるアンテナデバイスでは、磁気コア１００は、高い密度を有する１つのフェライト材料を含む。このフェライト材料は、たとえば４６００ｋｇ／ｍ3〜６０００ｋｇ／ｍ3の密度を有し、そして２００Ｎ／ｍｍ2〜７００Ｎ／ｍｍ2の破壊強度を有する。一般的にフェライトコアに使用される、層（複数）のプレス処理の代わりに、本アンテナデバイスの磁気コアは、好ましくは射出成形処理によって製造される。この射出成型処理は、図１Ａに示す実施形態を有する磁気コアを、そのための機械的処理無しに製造することを可能とし、たとえばグラインディングまたは研磨を必要としない。以上により、本磁気コアは、一般的なプレス処理によって製造されている磁気コアよりも、機械的に顕著に丈夫である。
【００２５】
射出成型処理を使用することによって、上記の磁気コアの上側／下側の側面１１１ａ／１１１ｂと中央の側面１１２ａ，１１２ｂとの間のエッジ１０１を丸めることが有利に可能となる。同様に、この磁気コアの側部セグメント１２０ａおよび１２０ｂのそれぞれの側面１２１，１２２，および１２３の間のエッジ１０２も丸められている。さらに加えて、ガイドセグメント１３０ａ，．．．，  １３０ｄのチャネル１３１のそれぞれの底面１３２と側壁１３３，１３４との間のエッジ１０３が丸められて形成されている。これらの側面の間の移行部が鋭いエッジとなることを避けることによって、中央セグメント１１０を導電体１０で巻回する際に、また側部セグメント１２０ａ，１２０ｂを導電体２０で巻回する際に、そしてガイドセグメント１３０ａ，．．．，１３０ｄのチャネル１３１を導電体３０で巻回する際に、これらの導電体のワイヤ材料での損傷を避けることができる。
【００２６】
上記の磁気コアの中央セグメント１１０ならびにこの中央セグメントの側部に配設されたセグメント１２０ａおよび１２０ｂが異なる高さを備えることで、この磁気コアの中央セグメント１１０を、導電体１０を用いて直接巻回するために幅広の溝／チャネル１１３が形成される。同様に、この磁気コアのこれらの側部セグメント１２０ａおよび１２０ｂの端面に配設されているガイドセグメント１３０ａ，．．．，１３０ｄによって、これらの側部セグメント１２０ａおよび１２０ｂを導電体２０で巻回するための幅広の溝／チャネル１２４が形成される。これらのガイド装備１３０ａ，．．．，１３０ｄは、それ自体がチャネル形状に形成されており、ここでこうして形成されたチャネル／溝１３１は、溝１１３あるいは１２４より狭くなっている。導電体１０，２０，および３０用のこれらの溝／チャネルは、これらの導電体１０，２０，および３０の３つのコイルの間の小さな誘導性カップリングを可能とする。
【００２７】
ガイドセグメント１３０ａ，．．．，１３０ｄの側壁１３３，１３４は、とりわけ薄く形成されており、これによって上記の磁気コアを導電体３０で巻回するために提供されるスペースが拡大される。これらの側壁は、たとえば０．３ｍｍ〜０．６ｍｍの厚さを備え、好ましくは０．４ｍｍの厚さをそなえる。上記のコアの材料の高い密度のおかげで、これらのガイドセグメント１３０ａ，．．．，１３０ｄは、その薄い側壁１３３，１３４にも関わらず、良好な機械的特性を備え、そして具体的には、損傷されないために、充分に機械的に丈夫なものとなっている。
【００２８】
図２Ａは、巻回されていない磁気コア１００の上面での平面図を示す。図２Ｂは、図１Ａの巻回されていない磁気コア１００の下面での平面図を示し、そして図２Ｃは、図１Ｂの巻回されていない磁気コア１００の下面での平面図を示す。このコアをｙ方向に導電体１０で巻回するためのチャネル／溝１１３が見て取れ、そしてこのコアをｘ方向に導電体で巻回するためのチャネル／溝１２４が見て取れる。図２Ａ，２Ｂ，および２Ｃを参照して分るように、この磁気コアはｚ方向において非対称に形成されている。各々のガイドセグメント１３０ａ，．．．，１３０ｄのチャネル１３１の側壁１３３（複数）の下側の面上には、それぞれ１つの突起部１３５が配設されている。これらのガイドセグメント１３０ａ，．．．，１３０ｄのチャネル１３１の側壁（複数）１３４の上側の面は、突起部を全く有しておらず、むしろこの上側の面上は平坦に仕上げられている。
【００２９】
図１Ａと１Ｂとを比較し、また同様に図２Ｂと２Ｃと比較することによって分るように、図１Ａ，２Ｂに示す実施形態での突起部（複数）１３５は、図１Ｂ，２Ｃに示す実施形態でのものとは異なって形成されている。図１Ａおよび２Ｂに示すコアの実施形態では、これらの突起部は平面図においてほぼ三角形の外形を有しており、これに対し図１Ｂおよび２Ｃに示すコアの実施形態では、これらの突起部は平面図においてほぼ楕円形の外形を有している。図１Ａおよび２Ｂに示すコアの実施形態では、これらの突起部１３５のエッジは、側面１２３および１１２ａ，１１２ｂに対して傾いており、これに対し、図１Ｂおよび２Ｃに示すコアの実施形態では、これらの突起部のエッジは、側面１２３および１１２ａ，１１２ｂに対して、平行に延伸している。これらの突起部１３５の技術的意味は、さらに以下で図５および６を参照して詳細に説明される。
【００３０】
図３は、本アンテナデバイスの磁気コア１００の側面図を示す。この磁気コアの中央セグメント１１０は、ｚ方向において、たとえば０．９ｍｍの高さＢを備える。ガイドセグメント１３０ａ，．．．，１３０ｄは、ｚ方向において、たとえば２．９ｍｍの高さＡを備える。この磁気コア１００は、この磁気コアの突起部１３５とガイドセグメント１３０ａ，．．．，１３０ｄの各々の側壁１３４との間の高さＡと、この磁気コアの中央セグメント１１０の上側の側面１１１ａと下側の側面１１１ｂとの間の高さＢとの比が、少なくとも３より大きくなるように形成されている。
【００３１】
図４は、本アンテナデバイスの磁気コア１００の１つの断面を示す。ここにはこの磁気コアを導電体１０および２０で巻回するための互いに直行して配設された溝／チャネル１１３および１２４が示されており、ならびにこの磁気コアを導電体３０で巻回するための、この磁気コアの外周を周回する溝／チャネル１３１が示されている。これらの溝は、互いに直交して配設されており、導電体１０，２０，および３０も互いに直交して配設され、そし３つの空間方向全部における信号の受信が可能となるようになっている。
【００３２】
図４を参照すれば明らかなように、上記のコアは、ここに示された断面において、１つの大きな矩形の断面領域を備え、この断面領域は図４では斜線で示されている。具体的には、この磁気コアの中央セグメント１１０は、平面図では矩形に形成されている。以上のようにして、このコアの中央セグメント１１０の側面１１２ａ，１１２ｂに沿って配設され、かつこのコアの側部セグメント１２０ａ，１２０ｂの側面１２３に沿って配設されている導電体３０は、このコアの周りに矩形に巻回されている。
【００３３】
ｚ方向における上記のコアの小さな高さにも拘わらず、このコアの総体積を大きくすることなく、ｘ方向およびｙ方向におけるこのコアの大きな断面を可能とする。図３，および４に示す、小さな高さの磁気コアの矩形の断面形状により、本デバイスの感度は、円形の断面形状に対して２０％から３０％改善される。上記の導電体１０，２０，および３０において、磁場作用下で誘導される電圧は約３０％程度改善されている。本アンテナデバイスのＱ値は、たとえば６．７５ｍＨのタイプに対し、１２５ｋＨｚで２０〜５０となっている。本アンテナデバイスの直流抵抗は、たとえば６．７５ｍＨのタイプに対し、５０オームから１２０オームの値を有する。
【００３４】
磁気コア１００の幾何形状に依存した本アンテナデバイスの感度の測定を、図５Ａおよび５Ｂを参照して説明する。図５Ａは、長さｌおよび断面積Ａを有する磁気コア１００を示す。１つのコイルの感度Ｓは、一般的にＳ≒ω・Ｎ・Ａ・μeffの式で計算することができ、ここでＮはそのインダクタンスに基づいて決定される巻線の総数であり、Ａはこのコア断面積であり、そしてωは角周波数を意味する。実効透磁率μeffは、図５Ｂに示すグラフを利用して、上記の長さｌおよびこの磁気コアの直径Ｄに依存して求めることができる。上述の式の関係を円柱形状のコアに適用するので、図５Ａに示す断面積Ａから等価的な直径ｄeffを求めることができる。この長さｌおよびこの等価直径ｄeffを用いて、図５Ｂのグラフからこのコアの透磁率μeffを求めることができる。上記のコア１００に対して、このコアの長さｌとこのコアの中央セグメント１１０の断面積Ａとの比は、この磁気コアが６．７５ｍＨタイプの感度がたとえば６５〜８５ｍＶ／μＴとなるように、選択される。
【００３５】
図６は、導電体１０，２０，および３０を用いて巻回された磁気コア１００の１つの実施形態を示し、この磁気コアは、担体部材２００ａ，２００ｂ，２００ｃ，および２００ｄ上に固定されている。これらの担体部材は、たとえば１つの担体テープの一部であってよい。各々の担体部材はその１つの隅部に１つの切欠き部２１０を備え、この切欠き部は図７Ａおよび７Ｂの部分図においてより明瞭に示されている。ガイドセグメント１３０ａ，．．．，１３０ｄの突起部（複数）１３５は、これらの担体部材２００ａ，．．．，２００ｄのそれぞれの切欠き部２１０に挿入されるように形成されている。磁気コア１００のこれらの突起部１３５、および担体部材２００ａ，．．．，２００ｄのそれぞれの切欠き部２１０は、具体的には、磁気コア１００が、その突起部１３５が担体部材２００ａ，．．．，２００ｄのそれぞれの切欠き部２１０に挿入された後に、これらの担体部材で向きが調整されるように、形成されている。以上によりこの磁気コア１００が、たとえばこれらの担体部材２００ａ，．．．，２００ｄに対して中心に配設されるようにすることができる。これらの突起部１３５のおかげで、この磁気コアは、これらの担体部材に対して特に小さな誤差で自動的に向きの調整を行うことができる。
【００３６】
図７Ａおよび７Ｂは、図６に示す磁気コア１００および担体部材２００ａのアセンブリの一部を拡大した図を示す。図７Ａは、図１Ａに示す磁気コアを示し、図７Ｂは図１Ｂに示す磁気コアを示す。この磁気コアは、その突起部１３５の１つでこの担体部材２００ａの切欠き部２１０に挿入される。上記の導電体１０，２０，および３０をこれらの担体部材と接続するために、各々の担体部材２００ａ，．．．，２００ｄは、接続端子（複数）３００を備える。これらの接続端子３００の各々は、上記の導電体１０，２０，３０の１つをクランプするための１つのクランプ機構３１０、および事前にクランプされた導電体を電気的に接続するための１つの接続機構３２０を備える。この電気的接続のために、上記の導電体の端部は、この導電体の端部が接続機構３２０で上記の担体部材とはんだ付けあるいは溶接される前に、まずこのクランプ機構３１０にしっかりとクランプされる。このクランプ機構３１０は、接続端子３００の接続機構３２０のすぐ近くに設けられている。以上により、これらの接続端子でのワイヤ破断によりしばしば発生する電気的な断線を、本アンテナデバイスでは大部分避けることができる。
【００３７】
本アンテナデバイスの１つの好ましい実施形態によれば、導電体１０，２０，および３０の絶縁部は高耐熱の材料を含む。これらの導電体は、たとえば２０サイクルを越える、最高温度２６０℃でのはんだリフロー処理に耐える材料から成っていてよい。上記の導電体用に、３５０℃より高い軟化温度を有する材料がＩＥＣ６０８５１．６．４に準拠して０．０５ｍｍあるいは０．２５ｍｍで使用されてよい。これらの導電体の絶縁部は、たとえばポリアミドイミドから成る材料を含むか、あるいは完全にポリアミドイミドから成っていてよい。
【００３８】
上記の導電体は、６００℃までの耐熱性の、１つの保護層あるいは絶縁層を備える。これによりこれらの導電体の保護層は、上記の担体部材とのはんだ付けあるいは溶接の際に剥離され得ず、これよりこれらの導電体間の短絡を避けることができる。この導電体の皮むきは、機械的に行われるか、あるいはレーザー技術を用いて行われる。
【００３９】
本アンテナデバイスの完成のため、上記の導電体１０，２０，および３０を用いて巻回された磁気コア１００は、モールド材料４００によって包囲される。
図８Ａは、担体部材２００ａ，．．．，２００ｄ上に配設され、そしてこのモールド材料４００によって包囲され、リモールドされた(umpressten)磁気コア１００を示す。ガイドセグメント１３０ａ，．．．，１３０ｄの薄い側壁１３３，１３４は、モールド材料４００を用いてモールドするために充分なスペースが存在することを可能とする。このモールド材料４００によって、上記の磁気コア１００も、またこれを包囲する導電体も、機械的応力から保護されている。
【００４０】
外部接続端子（複数）あるいはコンタクトピンを生成するために、上記の担体部材（複数）からそれぞれ対応する接続部材が切り出されあるいはパンチ加工される。図８Ｂは、上記の担体部材（複数）から切り出された接続部材（複数）２２０を示す。適合した外部接続部を可能とするため、これらの接続部材は、図８Ｃに示すように、その外側端部で曲げられる。これらの接続部材２２０は、続いて上記のリモールドされたコアの周りで曲げられる。
【００４１】
完成したアンテナデバイス１を斜め上から見たものが図９Ａに、そして斜め下から見たものが図９Ｂに示されている。これらの接続部材２２０は、モールドされた磁気コアの下面上での電気的接続のための導電性の接続面を提供する。
【符号の説明】
【００４２】
１  ：  アンテナデバイス
１０  ：  導電体
２０  ：  導電体
３０  ：  導電体
１００  ：  磁気コア
１１０  ：  磁気コアの中央セグメント
１２０  ：  磁気コアの側部セグメント
１３０  ：  磁気コアの外部セグメント
２００ａ，．．．，２００ｄ  ：  担体部材
２１０  ：  担体部材の切欠き部
２２０  ：  接続部材
３００  ：  接続端子
３１０  ：  クランプ機構
３２０  ：  接続機構
４００  ：  モールド材料
【図１Ａ】
0006514357.tif 000002
【図１Ｂ】
0006514357.tif 000003
【図１Ｃ】
0006514357.tif 000004
【図２Ａ】
0006514357.tif 000005
【図２Ｂ】
0006514357.tif 000006
【図２Ｃ】
0006514357.tif 000007
【図３】
0006514357.tif 000008
【図４】
0006514357.tif 000009
【図５Ａ】
0006514357.tif 000010
【図５Ｂ】
0006514357.tif 000011
【図６】
0006514357.tif 000012
【図７Ａ】
0006514357.tif 000013
【図７Ｂ】
0006514357.tif 000014
【図８Ａ】
0006514357.tif 000015
【図８Ｂ】
0006514357.tif 000016
【図８Ｃ】
0006514357.tif 000017
【図９Ａ】
0006514357.tif 000018
【図９Ｂ】
0006514357.tif 000019